(57)【特許請求の範囲】
【請求項１】
帳票読取り位置に載置した帳票のイメージを非接触スキャナにより読み取り、読み取って得た帳票イメージデータを上位装置へ送出する帳票読取装置において、
帳票読取り位置に連通する帳票挿入口を有する印字部と、
帳票が排出される排出口と、
帳票を検知した場合に該帳票が前記排出口を通り抜けられないサイズであることを検出し、帳票を検知しない場合に該帳票が前記排出口を通り抜けられるサイズであることを検出する帳票サイズ検出センサとを設け、
前記非接触スキャナにより帳票のイメージを読み取った後、帳票イメージデータの確認済み指示および所定のデータを印字するための帳票サイズ情報を含む印字位置情報を前記上位装置から受信し、帳票を前記帳票挿入口から取り込み、この際前記帳票サイズ検出センサが帳票を検知したか否かを監視し、前記印字位置情報に含まれる帳票サイズ情報が帳票が前記排出口を通り抜けできるサイズであることを示しているにも拘らず前記帳票サイズ検出センサが帳票を検知している場合、および前記帳票サイズ情報が帳票が前記排出口を通り抜けできないサイズであることを示しているにも拘らず前記帳票サイズ検出センサが帳票を検知していない場合、帳票を前記帳票挿入口へ排出し、それ以外の場合は帳票を印字位置へ搬送し、前記印字部により前記所定のデータを帳票に印字し、その後前記印字位置情報に含まれる帳票サイズ情報が帳票が前記排出口を通り抜けできないサイズを示す場合は帳票を前記帳票挿入口側に排出し、前記排出口を通り抜けできるサイズを示す場合は帳票を前記排出口側に排出することを特徴とする帳票読取装置。
【請求項２】
前記印字部は、前記帳票挿入口から取り込んだ帳票に所定のデータを押下するスタンプ機構を備えた請求項１記載の帳票読取装置。
【請求項３】
前記印字部に配設され、前記帳票挿入口から挿入された帳票を搬送する搬送手段と、
前記印字部に配設され、回動可能なクランプレバーと該クランプレバーの端部に回転可能に設けられたクランプローラとを有するクランプ機構とを設け、
前記非接触スキャナにより帳票を読み取る際、前記上位装置から帳票読取り指示を受信すると前記クランプ機構の前記クランプレバーを回動させて前記帳票読み取り位置に載置された帳票を前記クランプローラによりクランプし、前記非接触スキャナにより帳票を読み取り、読み取った帳票のイメージを前記上位装置に送信し、前記上位装置からの前記確認済み指示を受信すると前記搬送手段を駆動するとともに前記クランプ機構の前記クランプローラを回転して帳票を前記帳票挿入口から取り込む請求項１記載の帳票読取装置。
【請求項４】
前記搬送手段は搬送ローラと該搬送ローラを駆動するためのギア機構を有し、
前記クランプローラは、前記帳票読み取り位置に載置された帳票をクランプした際に、前記ギア機構と噛み合うギアにより回転される請求項３記載の帳票読取装置。
【発明の詳細な説明】
【０００１】
【発明の属する技術分野】
本発明は銀行、郵便局等の金融機関で印鑑登録票や振込依頼票等のイメ−ジを読み取って処理する帳票読取装置に係り、特に帳票イメ−ジ処理した証拠として認証を印字する印字部に関する。
【０００２】
【従来の技術】
従来、金融機関の窓口に設置されている窓口端末では、係員の机上にセットされた帳票を非接触スキャナ装置で読み取り、イメ−ジ伝送したり、文字認識を行って処理するシステムが提案されている。
【０００３】
例えば、特開平８−９１０２号公報には、原稿台に載置された原稿に光を照射して反射光を結像手段により結像し、結像されたイメ−ジに対しイメ−ジ読取りユニットを所定の高さに保持して原稿のイメ−ジを読み取るスタンド型イメ−ジスキャナ装置が開示されている。
【０００４】
このようなシステムでは、非接触スキャナ装置で読み取ったあと、イメージ処理した証拠として係員が非接触スキャナ装置と別にある通帳伝票プリンタに挿入して認証印字を行っている。
【０００５】
【発明が解決しようとする課題】
従来の帳票読取装置にあっては、非接触スキャナ装置でイメージ処理したあと、イメージ処理した証拠として係員が非接触スキャナ装置と別にある通帳伝票プリンタに挿入して認証印字を行っているので、操作が煩雑となり、処理の途中で帳票の取り違いを発生される恐れがあるという問題点があった。
【０００６】
本発明は非接触スキャナ装置でイメ−ジ処理したあとに行う認証印字操作の容易な帳票読取装置を提供することを目的としている。
【０００７】
【課題を解決するための手段】
上記目的を達成するために本発明の帳票読取装置は、帳票読取り位置に載置した帳票のイメージを非接触スキャナにより読み取り、読み取って得た帳票イメージデータを上位装置へ送出する帳票読取装置において、帳票読取り位置に連通する帳票挿入口を有する印字部と、帳票が排出される排出口と、帳票を検知した場合に該帳票が前記排出口を通り抜けられないサイズであることを検出し、帳票を検知しない場合に該帳票が前記排出口を通り抜けられるサイズであることを検出する帳票サイズ検出センサとを設け、前記非接触スキャナにより帳票のイメージを読み取った後、帳票イメージデータの確認済み指示および所定のデータを印字するための帳票サイズ情報を含む印字位置情報を前記上位装置から受信し、帳票を前記帳票挿入口から取り込み、この際前記帳票サイズ検出センサが帳票を検知したか否かを監視し、前記印字位置情報に含まれる帳票サイズ情報が帳票が前記排出口を通り抜けできるサイズであることを示しているにも拘らず前記帳票サイズ検出センサが帳票を検知している場合、および前記帳票サイズ情報が帳票が前記排出口を通り抜けできないサイズであることを示しているにも拘らず前記帳票サイズ検出センサが帳票を検知していない場合、帳票を前記帳票挿入口へ排出し、それ以外の場合は帳票を印字位置へ搬送し、前記印字部により前記所定のデータを帳票に印字し、その後前記印字位置情報に含まれる帳票サイズ情報が帳票が前記排出口を通り抜けできないサイズを示す場合は帳票を前記帳票挿入口側に排出し、前記排出口を通り抜けできるサイズを示す場合は帳票を前記排出口側に排出することを特徴とする。
【０００８】
【発明の実施の形態】
本発明の実施の形態について図面を参照しながら説明する。尚、各図面に共通な要素には同一符号を付す。
【０００９】
【発明の実施の形態】
本発明の実施の形態について図面を参照しながら説明する。尚、各図面に共通な要素には同一符号を付す。
第１の実施の形態
図１は第１の実施の形態による帳票読取装置の外観斜視図である。帳票読取装置１は帳票２を載置するマット３と帳票２のイメ−ジを読取るスキャナ部４と帳票２に認証を印字するプリンタ部５と後述する上位装置とからなる。
【００１０】
マット３の表面上には、帳票２を読取り位置にセットする際、帳票２の側端を突き当て、帳票２の先端を位置出しライン３ａに案内する突当てガイド６が固着してある。
【００１１】
また、突当てガイド６に沿って帳票２をプリンタ部５に案内する帳票挿入口７が帳票読取り位置に連通して設けてある。
【００１２】
スキャナ部４は帳票読取り位置にセットされた帳票２のイメ−ジを読み取る非接触スキャナ８（以後スキャナ８と記す）と、スキャナ台９と、スキャナ８をスキャナ台９に支持する腕１０とからなる。
【００１３】
図２はカバ−の破断部から見たプリンタ部の構成を示す平面図、図３は図２のＡ−Ａ断面矢視図である。プリンタ部５はキャリッジ機構１１と給紙機構１２とプリンタカバ−１３とからなる。
【００１４】
キャリッジ機構１１は印字ヘッドを搭載したキャリッジ１４と、後述するスペ−シングモ−タとからなる。キャリッジ１４はフレ−ム１５に軸支されたシャフト１６に沿って矢印Ｂ−Ｃ方向に移動自在である。キャリッジ１４には２個の図示せぬプ−リを介して張設された図示せぬベルトの両端部が固着してあり、一方のプ−リはスペ−シングモ−タの軸に固着してある。
【００１５】
給紙機構１２はラインフィ−ドモ−タ１７と、一点鎖線で示した歯車列１８と、歯車列１８の歯車を軸１９ａ，１９ｂの一端部に固着した給紙ロ−ラ２０，２１と、給紙ロ−ラ２０，２１にそれぞれ圧接して従動する圧接ロ−ラ２２，２３とからなる。圧接ロ−ラ２２，２３はマット３の凹部２４に回転自在に設けられた軸２５に固着してある。
【００１６】
給紙ロ−ラ２０，２１と圧接ロ−ラ２２，２３とに挟まれて給送される帳票２を印字ヘッドに案内する帳票搬送路はマット３の表面とフレ−ム１５に固着した図示せぬガイドプレ−トとにより構成され、ガイドプレ−トに帳票位置出しセンサ２７が固着してある。
【００１７】
給紙ロ−ラ２０，２１のロ−ラ面はガイドプレ−トに設けた穴から突出して圧接ロ−ラ２２，２３に圧接している。
【００１８】
プリンタカバ−１３はマット３上の支持部材２６に回動自在に軸支されてあり、矢印Ｄ−Ｅ方向に回動して印字ヘッドを覆うとともに印字ヘッドを覆った状態で先端側に帳票挿入口７を形成する。また、プリンタ部５の背面側には印字中、帳票２が通り抜けられるように帳票排出口２８が設けてある。
【００１９】
また、プリンタ部５の帳票挿入口７近傍には、帳票２が帳票排出口２８から通り抜けられないサイズか否かを検出する帳票サイズ検出センサ２９がガイドプレ−トに固着してある。
【００２０】
図４は図１に示した帳票読取装置のハ−ドウェアブロック図である。制御部３０はメイン制御部３１とスキャナ制御部３２とプリンタ制御部３３とにより構成されている。メイン制御部３１は上位装置３４と、スキャナ部４を制御するスキャナ制御部３２と、プリンタ部５を制御するプリンタ制御部３３とに接続されている。
【００２１】
メイン制御部３１は中央処理装置、記憶装置を有し、イメ−ジデ−タ読取手段３１ａと認証デ−タ印字手段３１ｂ等とが設けてある。メイン制御部３１は上位装置３４から帳票読み取り指示を受信するとイメ−ジデ−タ読取手段３１ａがスキャナ制御部３２を通じてスキャナ部４を制御し、帳票イメ−ジを読み取る。
【００２２】
また、メイン制御部３１は上位装置３４から帳票イメ−ジの確認済みを受信すると認証デ−タ印字手段３１ｂがプリンタ制御部３３を通じてプリンタ５を制御し、帳票２に認証デ−タを印字する。
【００２３】
上位装置３４は中央処理装置、記憶装置を有し、帳票テ−ブル格納手段３４ａと位置情報選択手段３４ｂとデ−タ合成手段３４ｃと合成デ−タ格納手段３４ｄ等とが設けられ、操作部３５と表示部３６とに接続されている。
【００２４】
上位装置３４はメイン制御部３１から帳票イメ−ジデ−タを受信し、帳票の種類を認識し、位置情報選択手段３４ｂにより帳票テ−ブル格納手段３４ａから認証の印字位置に関する情報（以後印字位置情報と記す）を選択してメイン制御部３１に送出する。
【００２５】
また、上位装置３４は帳票イメ−ジデ−タと認証デ−タとをデ−タ合成手段３４ａにより合成し、合成デ−タ格納手段３４ｂに格納する。
【００２６】
図５はプリンタ部のハードウェアブロック図（１）である。コントローラ３７にはスペーシングモータ３８（以後ＳＰモータ３８と記す）、印字ヘッド３９、ラインフィードモータ１７（以後ＬＦモータ１７と記す）、印字位置出しセンサ２７、帳票サイズセンサ２９が接続されている。
【００２７】
コントローラ３７はメイン制御部３１、プリンタ制御部３３を通じて上位装置３４から印字位置情報を受信すると、帳票搬送量を認識する。印字位置情報にはこの他に、帳票２が帳票排出口２８を通り抜けできるか否かを判定するビットが加えてある。本実施の形態では帳票２のサイズが帳票排出口２８を通り抜けできるサイズの場合にはビット０であり、通り抜けできないサイズの場合にはビット１である。
【００２８】
コントローラ３７は帳票搬送量が帳票サイズに対して適正が否かを帳票サイズ検出センサ２９の出力結果で判定する。帳票サイズ検出センサ２９が帳票２を検出した場合にはビット０がコントローラ３７に出力され、帳票２を検出しない場合にはビット１がコントローラ３７に出力される。
【００２９】
図６は認証印字の印字例を示す印鑑登録票の正面図であり、登録印鑑等のイメ−ジ４０を読み取った後、認証印字位置４１に日付、支店番号、処理番号を印字する。図７は図１に示した帳票読取装置のフロ−チャ−トである。
【００３０】
次に動作について図７を参照して説明する。オペレ−タは帳票２の側端を突当てガイド６に突き当て、帳票２の先端を位置出しライン３ａに案内して帳票読取り位置にセットし、上位装置３４の操作部３５を操作して帳票読み取り指示を帳票読取装置１に送出する。
【００３１】
ステップＳ1 で帳票読取装置１のメイン制御部３１は上位装置３４から帳票読み取り指示を受信したか否かをセンスしており、帳票読み取り指示を受信した場合には、ステップＳ2 に分岐する。
【００３２】
ステップＳ2 でメイン制御部３１はスキャナ制御部３２を通じ、スキャナ部４に帳票２のイメ−ジ取得を指示する。スキャナ部４は帳票読取り位置にセットされた帳票２のイメ−ジデ−タを上位装置３４に送出する。上位装置３４はイメ−ジ内の所定エリア内に記載されてある文字、数字を認識して表示部３６に表示する。
【００３３】
オペレ−タは表示部３６に表示された帳票２のイメ−ジを見て帳票２が正しく読み取れたか否かをチェックし、正しく読み取れたならば帳票２をプリンタ部５の帳票挿入口７に挿入し、確認済みの指示を操作部３５から帳票読取装置１に送出する。このとき上位装置３４は帳票テ−ブル格納手段３４ａから位置情報を選択してメイン制御部３１に送出する。
【００３４】
ステップＳ3 でメイン制御部３１は上位装置３４から確認済みの指示が出たか否かをチェックしており、確認済みの指示が出た場合にはステップＳ4 に分岐し、再読み取りが必要である旨の指示を受けた場合にはステップＳ1 に分岐する。
【００３５】
ステップＳ1 に分岐した場合には再度上位装置３４の操作部３５を操作して帳票読み取り指示を帳票読取装置１に送出する。
【００３６】
ステップＳ4 でメイン制御部３１はプリンタ制御部３３を通じてプリンタ部５に印字位置情報及び認証デ−タとともに認証印字を指示する。
【００３７】
ステップＳ5 でコントロ−ラ３７は印字位置情報から帳票搬送量を認識し、ＬＦモ−タ１７を駆動させ、給紙ロ−ラ２０，２１を図３に示すように矢印Ｆ方向に回転させる。
【００３８】
ステップＳ6 でコントローラ３７は、印字位置出しセンサ２７が帳票を検知したか否かを監視しており、印字位置出しセンサ２７が帳票を検知した場合には、ステップＳ7 に分岐し、所定量帳票を搬送しても印字位置出しセンサ２７が帳票を検知されない場合には、帳票挿入口２に帳票を排出して処理を終了（異常終了）する。
【００３９】
ステップＳ７でコントローラ３７は、帳票サイズに対して帳票搬送量が適正か否かを判定する。具体的には、印字位置情報に含まれる帳票サイズ情報が帳票排出口２８を通り抜けできるサイズ（ビット０）であるにも拘わらず、帳票サイズ検出センサが帳票を検知している場合（ビット１）や、前述した印字位置情報に含まれる帳票サイズ情報が帳票排出口２８を通り抜けできないサイズ（ビット１）であるにも拘わらず、帳票サイズ検出センサが帳票を検知していない場合（ビット０）には、そのまま搬送すると搬送異常を生じる恐れがあるので、帳票挿入口７に帳票を排出して処理を終了（異常終了）させ、これら以外の場合にはステップＳ８に分岐する。
【００４０】
ステップＳ8 でコントロ−ラ３７はＬＦモ−タ１７を帳票搬送量に基づいて駆動し、図６に示した認証印字位置４１が印字ヘッドに対向する位置でＬＦモ−タ１７を停止させる。
【００４１】
ステップＳ9 でコントロ−ラ３７はＳＰモ−タ３６を駆動し、キャリッジ１４を矢印Ｃ方向に移動させ、認証印字位置４１に認証デ−タを印字する。
【００４２】
ステップＳ10でコントローラ３７はメイン制御部３１に認証印字が終了したことを通知するとともにＬＦモータ１７を駆動させて給紙ローラ２０、２１回転させ、帳票２を排出する。なお、前述したように印字位置情報に含まれる帳票サイズ情報が帳票排出口２８を通り抜けできないサイズである場合には、挿入口７側に帳票を排出し、通り抜けできるサイズである場合には帳票排出口２８側に排出する。
【００４３】
上位装置３４は認証データの内容から印字フォントデータ等を用いて認証データの印字イメージを生成し、取得した帳票イメージの認証印字の位置に当て嵌めて合成し、このイメージを表示部３６に表示するとともに合成データ格納手段３４ｂに格納する。
【００４４】
第１の実施の形態によれば、帳票読取り位置に連通する帳票挿入口を有し、スキャナにより読み取られた帳票に認証デ−タを印字する認証印字部を設けたことにより、スキャナでイメ−ジ処理したあとに行う認証印字操作が容易となり、処理の途中で帳票の取り違いを発生させる恐れが防止される。
【００４５】
また、取得された帳票イメ−ジは金融機関の地区センタで処理される場合もあり、認証デ−タとして日付や支店番号を組み合わせて印字するようにしたことにより、処理番号が支店間で重複しても帳票イメ−ジを区別できる。
【００４６】
また、帳票イメ−ジと認証デ−タとを合成するようにしたことにより、取得された帳票イメ−ジを後の処理で表示や印刷する際に、認証デ−タを用いて検索できる。
【００４７】
プリンタ部の背面側には印字中、帳票が通り抜けられるように帳票排出口を設けたことにより、認証印字位置が帳票のフォ−マットによりどこに設けられていても印字できる。
【００４８】
また、印字部を通り抜けることができない帳票の場合には、挿入口側に帳票を排出するようにし、また、帳票のサイズを検査するためのセンサを設けたので、各種サイズの帳票に対応した処理が可能である。
【００４９】
第２の実施の形態
図８は第２の実施の形態による帳票読取装置の外観斜視図である。第２の実施の形態が第１の実施の形態と異なるところは、帳票読取り位置にセットされた帳票２をクランプするクランプ機構５０をプリンタ部５に設けた点である。
【００５０】
図９はカバ−の破断部から見たクランプ機構の構成を示す平面図、図１０は図９のＡ−Ａ断面矢視図（２）である。クランプ機構５０はクランプレバ−回動部５１とクランプロ−ラ部５２とからなる。クランプレバ−回動部５１はクランプモ−タ５３と、モ−タギヤ５４に噛み合うギヤ５５を一端に固着して図示せぬ支持部材に回転自在に支持された軸５６と、軸５６に一端部を固着されたコの字状のクランプレバ−５７とからなる。
【００５１】
クランプロ−ラ部５２はギヤ列１８のギヤ５８に噛み合うギヤ５９を一端に固着してクランプレバ−５７の他端部に回転自在に支持された軸６０と、軸６０に固着されてクランプレバ−５７の他端部に挟持されたクランプロ−ラ６１とからなる。
【００５２】
従って、クランプモータ５３を駆動することにより、クランプレバー５７を印字部内から帳票２を載置したマット３側にせり出して帳票２をクランプする状態とすることができ、また、ＬＦモータ１７を駆動することにより、クランプローラ６１を回転させてクランプした帳票２を搬送することができるようになっている。
【００５３】
図１１はプリンタ部のハードウェアブロック図（２）である。コントローラ３７にはＳＰモータ３８、印字ヘッド３９、ＬＦモータ１７、帳票位置出しセンサ２７、クランプモータ５３が接続されている。
【００５４】
図１２は図８に示した帳票読取装置のフロ−チャ−トである。
【００５５】
次に動作について説明する。第２の実施の形態による帳票読取装置の動作は帳票２のクランプ動作を除いて第１の実施の形態と同じである。
【００５６】
オペレ−タは、帳票２の側端を突当てガイド６に突き当て、帳票２の先端を位置出しライン３ａに案内して帳票読取り位置にセットし、上位装置３４の操作部３５を操作して帳票読み取り指示を帳票読取装置１に送出する。
【００５７】
ステップＳ1 で帳票読取装置１のメイン制御部３１は上位装置３４から帳票読み取り指示を受信したか否かをセンスしており、帳票読み取り指示を受信した場合には、ステップＳ2 に分岐する。
【００５８】
ステップＳ2 でメイン制御部３１はクランプモ−タ５３を駆動し、図１０に示したように、クランプレバ−５７を矢印Ｈ方向に回動させ、帳票読取り位置にセットされた帳票２の先端部をクランプロ−ラ６１によりマット３にクランプする。  ステップＳ3 でメイン制御部３１はスキャナ制御部３２を通じ、スキャナ部４に帳票２のイメ−ジ取得を指示する。スキャナ部４は帳票読取り位置にセットされた帳票２のイメ−ジデ−タを上位装置３４に送出する。上位装置３４はイメ−ジ内の所定エリア内に記載されてある文字、数字を認識して表示部３６に表示する。
【００５９】
オペレ−タは表示部３６に表示された帳票２のイメ−ジを見て帳票２が正しく読み取れたか否かをチェックし、正しく読み取れたならば帳票２をプリンタ部５の帳票挿入口７に挿入し、確認済みの指示を操作部３５から帳票読取装置１に送出する。このとき上位装置３４は帳票テ−ブル格納手段３４ａから位置情報を選択してメイン制御部３１に送出する。
【００６０】
ステップＳ4 でメイン制御部３１は上位装置３４から確認済みの指示が出たか否かをチェックしており、確認済みの指示が出た場合にはステップＳ5 に分岐し、再読み取りが必要である旨の指示を受けた場合にはステップＳ1 に分岐する。
【００６１】
ステップＳ1 に分岐した場合には再度上位装置３４の操作部３５を操作して帳票読み取り指示を帳票読取装置１に送出する。
【００６２】
ステップＳ5 〜ステップＳ12は、第１の実施の形態とほぼ同様であるので、相違点のみ説明する。
【００６３】
ステップＳ6 において帳票を搬送する際には、帳票をクランプしているクランプローラ６１によっても帳票の搬送力が与えられるるとともに、ステップＳ8 において帳票サイズが適正であると判断されたときには、クランプモータ５３を駆動してクランプレバー５７による帳票のクランプを解除する。
【００６４】
第２の実施の形態によれば、帳票読取り位置にセットされた帳票をクランプするクランプ機構を設け、処理が終了するまで抜き差しができないようにしたので、処理の途中で帳票の取り違いを発生させる恐れが第１の実施の形態よりさらに確実に防止される。
【００６５】
尚、本実施の形態では、帳票をクランプするステップを帳票のイメ−ジを読み取る前に設けたが、帳票のイメ−ジを読み取った後に帳票をクランプするようにしてもよい。この場合、クランプ機構によって、帳票のイメ−ジが陰になる恐れがなくなる。
【００６６】
第３の実施の形態
図１３は第３の実施の形態による帳票読取装置の外観斜視図、図１４は図１３のＡ−Ａ断面矢視図である。第３の実施の形態が第１及び第２の実施の形態と異なるところは、帳票２がプリンタカバ−１３の上方に排出できるように、ガイドプレ−ト７１、７２により搬送路を形成し、給紙ロ−ラで帳票排出口７０に案内するようにした点である。従って、第１及び第２の実施の形態のように認証印字後、帳票２を帳票挿入口７に戻すステップは不要となる。
【００６７】
第３の実施の形態によれば、帳票をプリンタカバ−の上方に排出できるようにしたことにより、装置の背面部にスペ−スを設けなくとも設置でき、帳票のフォ−マットに関係なく認証を印字できる。
【００６８】
尚、第１〜第３の実施の形態において、プリンタ部には印字ヘッドを設けたが、自動的に認証デ−タをインクリメントするスタンプを設け、カム機構を介して認証デ−タを押下するスタンプ機構にしてもよい。
【００６９】
また、第１〜第３の実施の形態において、帳票イメ−ジ処理した証拠として認証デ−タを印字する例で説明したが、単なる記事等を印字するものにも本発明を適用してもよい。
【００７０】
さらに、帳票は単票でも通帳のような冊子状媒体であってもよい。
【００７１】
【発明の効果】
本発明は、以上説明したように構成されているので以下に記載される効果を奏する。即ち、帳票読取り位置に連通する帳票挿入口を有する印字部と、帳票が排出される排出口と、帳票を検知したか否かにより帳票が排出口を通り抜けられるサイズか否かを検出する帳票サイズ検出センサとを設け、非接触スキャナにより帳票のイメージを読み取った後、帳票を帳票挿入口から取り込む際、上位装置から送られる印字位置情報に含まれる帳票サイズ情報が帳票が排出口を通り抜けできるサイズであることを示しているにも拘らず帳票サイズ検出センサが帳票を検知している場合、および前記帳票サイズ情報が帳票が前記排出口を通り抜けできないサイズであることを示しているにも拘らず帳票サイズ検出センサが帳票を検知していない場合は、帳票を帳票挿入口へ排出し、それ以外の場合は帳票を印字位置へ搬送して印字部により所定のデータを印字するようにしたので、非接触スキャナで帳票を読み取った後、帳票に対して認証印字をするのが容易になるとともに、帳票の搬送異常を発生することはない。
【図面の簡単な説明】
【図１】第１の実施の形態による帳票読取装置の外観斜視図である。
【図２】カバ−の破断部から見たプリンタ部の構成を示す平面図である。
【図３】図２のＡ−Ａ断面矢視図である。
【図４】図１に示した帳票読取装置のハ−ドウェアブロック図である。
【図５】プリンタ部のハ−ドウェアブロック図（１）である。
【図６】認証印字の印字例を示す印鑑登録票の正面図である。
【図７】図１に示した帳票読取装置のフロ−チャ−トである。
【図８】第２の実施の形態による帳票読取装置の外観斜視図である。
【図９】カバ−の破断部から見たクランプ機構の構成を示す平面図である。
【図１０】図９のＡ−Ａ断面矢視図である。
【図１１】プリンタ部のハ−ドウェアブロック図（２）である。
【図１２】図８に示した帳票読取装置のフロ−チャ−トである。
【図１３】第３の実施の形態による帳票読取装置の外観斜視図である。
【図１４】図１３のＡ−Ａ断面矢視図である。
【符号の説明】
１  帳票読取装置
２  帳票
３  マット
４  スキャナ部
５  プリンタ部
７  帳票挿入口
８  スキャナ
２８、７０  帳票排出口
３１  メイン制御部
３４  上位装置
５０  クランプ機構
【図１】
0003930986.tif 000002
【図２】
0003930986.tif 000003
【図３】
0003930986.tif 000004
【図４】
0003930986.tif 000005
【図５】
0003930986.tif 000006
【図６】
0003930986.tif 000007
【図７】
0003930986.tif 000008
【図８】
0003930986.tif 000009
【図９】
0003930986.tif 000010
【図１０】
0003930986.tif 000011
【図１１】
0003930986.tif 000012
【図１２】
0003930986.tif 000013
【図１３】
0003930986.tif 000014
【図１４】
0003930986.tif 000015